(57)【要約】同心状に配置された外筒１及び内筒２と、外筒１と内筒２との間隙に形成されたろ過室１２と、内筒２の筒内に出し入れ自在に収納された磁石ユニット棒３とを備える磁気フィルタＷ１であって、ろ過室１２に流入するろ過液中に混在する磁性物質は、内筒２に収納された磁石ユニット棒３の磁力により内筒２の外周側面に吸着するようになっており、ろ過室１２には、内筒２の外周側面に当接する掻取部９ａを有するスクレーパ９が設置され、スクレーパ９を動作させると掻取部９ａが内筒２の外周側面に沿って摺動して内筒２に吸着した磁性物質を掻き取るようになっている。
2015190179.tif 000002
【特許請求の範囲】
【請求項１】
同心状に配置された外筒及び内筒と、該外筒と内筒との間隙に形成されたろ過室と、該内筒の筒内に出し入れ自在に収納された磁石ユニット棒とを備える磁気フィルタであって、
前記ろ過室に流入するろ過液中に混在する磁性物質は、前記内筒に収納された磁石ユニット棒の磁力により該内筒の外周側面に吸着するようになっており、
前記ろ過室には、内筒の外周側面に摺動自在に当接する掻取部を有するスクレーパが設置され、該スクレーパを動作させると該掻取部が該内筒の外周側面に沿って摺動して該内筒に吸着した磁性物質を掻き取るようになっていることを特徴とする磁気フィルタ。
【請求項２】
前記スクレーパには磁気吸引部が設けられており、
前記内筒に収納された磁石ユニット棒を、該内筒から取り出す際に、前記磁気吸引部が設けられた前記スクレーパが該磁石ユニット棒の磁力の作用により動作し、前記掻取部が該内筒の外周側面に沿って摺動して該内筒に吸着した磁性物質を掻き取るようになっていることを特徴とする請求項１記載の磁気フィルタ。
【請求項３】
請求項１記載の磁気フィルタの磁性物質除去方法であって、
前記スクレーパには磁気吸引部が設けられ、
前記内筒に収納された磁石ユニット棒を、前記内筒から取り出すことにより、該磁石ユニット棒の磁力の作用により、前記磁気吸引部が設けられた前記スクレーパを動作させ、前記掻取部を該内筒の外周側面に沿って摺動させて該内筒に吸着した磁性物質を掻き取るスクレープ工程と、
前記ろ過室に逆洗液を流入させ、前記スクレープ工程で掻き取られた磁性物質を、該逆洗液と共に前記ろ過室から排出させる逆洗工程とを有することを特徴とする請求項１記載の磁気フィルタの磁性物質除去方法。
【請求項４】
請求項１記載の磁気フィルタの磁性物質除去方法であって、
前記スクレーパには磁気吸引部が設けられ、
前記ろ過室には排出口が設けられており、
前記内筒に収納された磁石ユニット棒を、前記内筒から引き上げて該内筒から取り出すことにより、該磁石ユニット棒の磁力により前記磁気吸引部を吸引し、該磁気吸引部が設けられたスクレーパを該磁石ユニット棒と共に上方に動作させ、前記掻取部を該内筒の外周側面に沿って摺動させて該内筒に吸着した磁性物質を掻き取るスクレープ工程と、
前記内筒から取り出していた前記磁石ユニット棒を引き下げて該内筒の筒内に戻すことにより、該磁石ユニット棒の磁力に吸引されている前記スクレーパを該磁石ユニット棒と共に下方に移動させて、下方に移動する該スクレーパの押し出しと重力とにより、前記スクレープ工程で掻き取られた磁性物質を、該ろ過室に残留しているろ過液と共に前記排出口から排出する排出工程とを有することを特徴とする請求項１記載の磁気フィルタの磁性物質除去方法。
【発明の詳細な説明】
【技術分野】
【０００１】
本発明は、磁気フィルタ及び磁気フィルタの磁性物質除去方法に関し、例えば、製鉄所で行われる冷間圧延に供される圧延油等の液体中に混在している磁性物質を、液体中から分離させて清浄化する磁気フィルタ及び当該磁気フィルタの磁性物質除去方法に関する。
【背景技術】
【０００２】
従来から、液体中に混在している磁性粒子（磁性物質）を、液体中から分離させる処理に磁気フィルタが用いられている。ここで、従来技術の磁気フィルタについて、図５、６を参照しながら説明する。
なお、図５は、従来技術の磁気フィルタの構成を示した模式図であり、（ａ）が磁気フィルタの縦断面を示した模式図であり、（ｂ）が磁気フィルタの横断面を示した模式図である。また、図６は、従来技術の磁気フィルタによるろ過処理と、磁気フィルタから磁性物質を除去する処理とを説明するための模式図であり、（ａ）がろ過工程を行う磁気フィルタを示した模式図であり、（ｂ）が逆洗工程を行う磁気フィルタを示した模式図であり、（ｃ）がろ過工程開始前のろ過スタンバイ状態の磁気フィルタを示した模式図である。【０００３】
先ず、従来技術の磁気フィルタの構成を説明する。
図５に示すように、従来技術の磁気フィルタ１００は、同心状に配置された外筒１及び内筒２と、内筒２の筒内に出し入れ自在に収納された磁石ユニット棒３とを有している。なお、外筒１及び内筒２は、金属等で形成されている。【０００４】
また、外筒１は、両端が塞がれた中空円筒状に形成され、その側面部には、「ろ過液入口管５」及び「ろ過液出口管６」と、「逆洗液入口管７」及び「逆洗液出口管８」とが接続されている。
また、内筒２は、外筒１よりも小径の中空円筒状に形成されている。また、内筒２の一端（図中における下端）は、外筒１の筒内・底面部１ａに設置されており、当該一端が止水可能な状態で閉塞されている。また、内筒２は、他端（図中における上端）側が外筒１の上面部１ｂを貫通して上面部１ｂから突出していると共に、その上端が開口している。【０００５】
また、磁石ユニット棒３は、内筒２よりも小径の略円柱状に形成され、その内部には略円柱状の磁石４が多段に積み重ねるように組み込まれている。この磁石ユニット棒３は、内筒２の他端（図中における上端）の開口から挿入され、内筒２の中心軸方向を自在に移動できるように、内筒２の筒内に収納されている。
なお、磁石ユニット棒３は、その上端が保持手段（図示せず）に保持されており、保持手段により、その下端が、内筒２の下端よりも所定寸法分上方に配置された状態で、内筒２の筒内に収納されるようになっている。【０００６】
また、「ろ過液入口管５」、「ろ過液出口管６」、「逆洗液入口管７」及び「逆洗液出口管８」には、それぞれ、開閉弁等の開閉手段が設けられている。そして、「ろ過液入口管５」、「ろ過液出口管６」、「逆洗液入口管７」及び「逆洗液出口管８」は、前記開閉手段により、「開状態」及び「閉状態」に自在に設定できるようになっている。
また、「ろ過液入口管５」は、ろ過対象の「ろ過液」を供給するポンプ等を有する「ろ過液供給設備」に接続されており、「ろ過液出口管６」は、磁性物資が除去されたろ過液を溜める貯水沿槽等に接続されている。また、「逆洗液入口管７」は、逆洗液を供給するポンプ等を有する「逆洗液供給設備」に接続されており、「逆洗液出口管８」は、磁性物資が含まれる逆洗液を排出する貯水槽等に接続されている。【０００７】
また、上記の磁気フィルタ１００は、外筒１と内筒２との間に形成される間隙部が「ろ過室１２」になっている。そして、「ろ過液入口管５」から「ろ過室１２」に流入させた「ろ過液」に混在している磁性粒子は、磁石ユニット棒３の磁力により内筒２の外周側面（外壁面）に吸着するようになっている。【０００８】
次に、磁気フィルタ１００の「ろ過工程」を説明する。
磁気フィルタ１００を、ろ過工程に用いるときには、図６（ａ）に示す状態にろ過フィルタ１００を設定する。具体的には、磁石ユニット棒３を内筒２の筒内に収納した状態にする。また、外筒１に接続されている「ろ過液入口管５」及び「ろ過液出口管６」を「開状態」にし、且つ「逆洗液入口管７」及び「逆洗液出口管８」を「閉状態」にする。
上記の状態にして、ろ過液入口管５から「ろ過液」を流入させると、流入させた「ろ過液」は「ろ過室１２」を通って、ろ過液出口管６から流出していく。このときに、ろ過液中に存在する磁性粒子が、磁石ユニット棒３の磁石４の磁力により、内筒２の外周側面（外壁面）に吸着していき、「ろ過液」から磁性粒子が除去される。また、磁性粒子が除去された「ろ過液」が、ろ過液出口管６から排出されていく。【０００９】
また、磁気フィルタ１００は、その構成上、内筒２に吸着する磁性粒子の量が「ろ過時間」と共に増加して、ろ過性能（磁性物質の除去性能）が低下していくという特質を有している。そのため、磁気フィルタ１００に対して逆洗工程を定期的に行っている。【００１０】
具体的には、逆洗工程では、図６（ｂ）に示すように、内筒２に収納された磁石ユニット棒３を引き上げて内筒２から取り出す。また、外筒１に接続されている「ろ過液入口管５」及び「ろ過液出口管６」を「閉状態」にし、且つ「逆洗液入口管７」及び「逆洗液出口管８」を「開状態」にする。
上記の状態にして、逆洗液入口管７から逆洗液を流入させると、流入させた「逆洗液」は「ろ過室１２」を通って、逆洗液出口８から流出していく。このとき、内筒２には磁石ユニット棒３からの磁力が及んでいないため、内筒２の外周側面（外壁面）に吸着した磁性粒子は、逆洗液入口管７から逆洗液出口管８に向けて流れる逆洗液により洗い流されていく。【００１１】
また、逆洗工程を終えた後、図６（ｃ）に示すように、取り出した磁石ユニット棒３を内筒２の筒内に戻して収納状態にし、ろ過液入口管５及びろ過液出口管６を「開状態」にし、且つ逆洗液入口管７及び逆洗液出口管８を「閉状態」にすると、ろ過工程を開始できる「ろ過スタンバイ状態」になる。【００１２】
尚、特許文献１には、内筒２をフィルタとして機能させるものではないが、磁石によりフィルタ体を磁化させ、液体中に混在している磁性粒子を、フィルタ体に吸着させる磁気フィルタが開示されている。
【先行技術文献】
【特許文献】
【００１３】
【特許文献１】特開平７−６８１０９号公報
【発明の概要】
【発明が解決しようとする課題】
【００１４】
しかしながら、上述した従来技術の磁気フィルタ１００は、逆洗工程において、内管２の外周側面に吸着した磁性粒子を洗い流すために、ろ過工程と比べて高流速の逆洗液を「ろ過室１２」に流入させる必要があり、そのための設備が大掛かりとなり、コストが嵩むという技術的課題を有している。
具体的には、磁気フィルタ１００で「ろ過」を行う場合、「ろ過室１２」での「ろ過液」の流速が「０．１〜０．５ｍ／ｓ」になるように「ろ過液」を流入させれば、所望の「ろ過性能」が得られる。一方、磁気フィルタ１００で逆洗をする場合、所望の「逆洗性能」を得るために、「ろ過室１２」での「逆洗液」の流速が「３．０〜６．０ｍ／ｓ」になるように逆洗液を流入させる必要があった。そのため、磁気フィルタ１００を用いる場合、逆洗のために大掛かりな設備を設ける必要があり、ろ過処理設備のコストアップを招いていた。【００１５】
また、磁気フィルタ１００は、内筒２の外周側面に逆洗では除去しきれない磁性粒子が残存するため、ろ過と逆洗を繰り返すうちに、残存する磁性粒子が徐々に増加していき、ろ過性能（磁性粒子の除去性能）が低下していくという技術的課題を有している。
上記の「ろ過性能低下」を防止するため、現状では、磁気フィルタ１００を分解して内筒２の外周側面を清掃する保守メンテナンス作業を定期的に行っており、保守メンテナンス作業に、手間とコストがかかっていた。【００１６】
なお、本願発明者らは、ろ過と逆洗を繰り返すうちに、残存する磁性粒子が徐々に増加する原因を解明するために、逆洗後における、内筒２の外周側面に残存する磁性粒子の粒度分布を測定した。
具体的には、ろ過液を磁気フィルタ１００で所定時間ろ過する工程を行った後、磁気フィルタ１００を逆洗する工程を行い、その後、内筒２の外周側面に残存する磁性粒子を測定した。ろ過液には「鋼板を圧延する圧延機における水溶性圧延油」を用いた。このとき、水溶性圧延油に含まれる磁性粒子のサイズは、「１〜５０μｍ」の幅で分布していた。そして、逆洗後における、内筒２の外壁面に残存する磁性粒子の粒度分布は、「１〜１０μｍ」であった（非常に微細なものであった）。【００１７】
上記測定結果から、磁気フィルタ１００の逆洗後における「残存する磁性粒子（上記測定では粒度分布が「１〜１０μｍ」の磁性粒子）」は、ろ過室１２の流速が「３．０ｍ／ｓ」と仮定したときに算出される内筒２の外周側面近傍の粘性低層の厚み（「２０μｍ」と算出される）よりも小さいことが判った。
すなわち、内筒２に残存する磁性粒子は、逆洗する際の内筒２の外周側面近傍の粘性低層（流れが極めて遅い粘性低層）の厚みよりも小さいため、逆洗液による洗浄の力が及ばず、これが、内筒２の外周側面に磁性粒子が徐々に増加していく原因であると推測される。
なお、磁気フィルタ１００を定期的に分解してメンテナンスを行う方法ではなく、逆洗液のろ過室１２の流速を「３．０〜６．０ｍ／ｓ」よりも大きくして、粘性低層の厚みを小さくすることにより、逆洗後の磁性粒子の残存量を減少させることも考えられるが、その方法では、逆洗のための設備コストのさらなる上昇を招いてしまう。【００１８】
本発明は、上記課題に鑑みてなされたものであり、その目的は、ろ過処理設備のコスト及び保守メンテナンス作業の手間を軽減できると共に、ろ過能力の低下を防止できる磁気フィルタ及び当該磁気フィルタの磁性物質除去方法を提供することにある。
【課題を解決するための手段】
【００１９】
上記課題を解決するためになされた本発明は、同心状に配置された外筒及び内筒と、該外筒と内筒との間隙に形成されたろ過室と、該内筒の筒内に出し入れ自在に収納された磁石ユニット棒とを備える磁気フィルタであって、前記ろ過室に流入するろ過液中に混在する磁性物質は、前記内筒に収納された磁石ユニット棒の磁力により該内筒の外周側面に吸着するようになっており、前記ろ過室には、内筒の外周側面に摺動自在に当接する掻取部を有するスクレーパが設置され、該スクレーパを動作させると該掻取部が該内筒の外周側面に沿って摺動して該内筒に吸着した磁性物質を掻き取るようになっていることを特徴とする。【００２０】
このように、本発明の磁気フィルタは、ろ過室内に、内筒に吸着した磁性物質を直接掻き取るスクレーパを設けた構成を採用しているため、逆洗により内筒に吸着した磁性物質を除去する従来技術の磁気フィルタ（図５、６参照）と比べて、効果的に磁気フィルタに吸着した磁性物質を除去することができる（内筒に磁性物質を残存させることなく、除去できる）。その結果、本発明によれば、ろ過性能（磁性物質の除去性能）の低下が防止された磁気フィルタが提供される。
また、本発明の磁気フィルタの構成によれば、磁気フィルタを分解することなく、スクレーパにより磁性物質を直接掻き取ることができるため、磁気フィルタを分解して行う保守メンテナンス作業の回数を減らすことができ（或いは、保守メンテナンス作業が不要になり）、保守メンテナンス作業の手間が軽減される。
また、本発明は、スクレーパを設けたことにより、高流速の逆洗液を流入させる必要がなくなるため、従来技術と比べて、ろ過処理設備のコストを軽減することができる。【００２１】
また、前記スクレーパには磁気吸引部が設けられており、前記内筒に収納された磁石ユニット棒を、該内筒から取り出す際に、前記磁気吸引部が設けられた前記スクレーパが該磁石ユニット棒の磁力の作用により動作し、前記掻取部が該内筒の外周側面に沿って摺動して該内筒に吸着した磁性物質を掻き取るようになっている。【００２２】
このように、本発明の構成によれば、従来技術（図５、図６参照）でも行っていた「内筒から磁石ユニット棒を取り出す工程」を行えば、特別な作業を行うことなく、自動的に、掻取部が内筒に吸着した磁性物質を掻き取るようになっている。すなわち、本発明では、作業工程を増加させることなく、内筒に吸着した磁性物質を効果的に除去することができる。
また、本発明の構成によれば、磁気吸引部を設けたため、スクレーパを動作させるためのモータ等の装置を設ける必要が無く、コストを抑えたろ過処理設備が提供される。【００２３】
また、本発明は、前記磁気フィルタの磁性物質除去方法であって、前記スクレーパには磁気吸引部が設けられ、前記内筒に収納された磁石ユニット棒を、前記内筒から取り出すことにより、該磁石ユニット棒の磁力の作用により、前記磁気吸引部が設けられた前記スクレーパを動作させ、前記掻取部を該内筒の外周側面に沿って摺動させて該内筒に吸着した磁性物質を掻き取るスクレープ工程と、前記ろ過室に逆洗液を流入させ、前記スクレープ工程で掻き取られた磁性物質を、該逆洗液と共に前記ろ過室から排出させる逆洗工程とを有することを特徴とする。【００２４】
このように本発明の磁気フィルタの磁性物質除去方法によれば、スクレーパにより、内筒に吸着した磁性物質を直接掻き取る方法を採用しているため、効果的に磁気フィルタに付着した磁性物質を除去することができる。
また、本発明では、逆洗工程の前に行うスクレープ工程で「内筒に吸着した磁性物質を除去している」ので、従来技術のように、逆洗工程において、高流速の逆洗液を流入させる必要がない。そのため、本発明の磁気フィルタに付着した磁性物質の除去方法によれば、従来技術と比べて、ろ過処理設備のコストが軽減される。【００２５】
また、本発明は、前記磁気フィルタの磁性物質除去方法であって、前記スクレーパには磁気吸引部が設けられ、前記ろ過室には排出口が設けられており、前記内筒に収納された磁石ユニット棒を、前記内筒から引き上げて該内筒から取り出すことにより、該磁石ユニット棒の磁力により前記磁気吸引部を吸引し、該磁気吸引部が設けられたスクレーパを該磁石ユニット棒と共に上方に動作させ、前記掻取部を該内筒の外周側面に沿って摺動させて該内筒に吸着した磁性物質を掻き取るスクレープ工程と、前記内筒から取り出していた前記磁石ユニット棒を引き下げて該内筒の筒内に戻すことにより、該磁石ユニット棒の磁力に吸引されている前記スクレーパを該磁石ユニット棒と共に下方に移動させて、下方に移動する該スクレーパの押し出しと重力とにより、前記スクレープ工程で掻き取られた磁性物質を、該ろ過室に残留しているろ過液と共に前記排出口から排出する排出工程とを有することを特徴とする。【００２６】
このように本発明の磁性物質除去方法では、逆洗工程を行う必要がないため、逆洗のためのポンプ等の設備や逆洗液が不要になる。すなわち、本発明の磁気フィルタの磁性物質除去方法によれば、ろ過処理設備のコストが大幅に軽減される。
【発明の効果】
【００２７】
本発明によれば、ろ過処理設備のコスト及び保守メンテナンス作業の手間を軽減できると共に、ろ過能力の低下を防止できる磁気フィルタを提供することができる。
【図面の簡単な説明】
【００２８】
【図１】本発明の第１実施形態の磁気フィルタの構成を示した模式図であり、（ａ）が磁気フィルタの縦断面を示した模式図であり、（ｂ）が磁気フィルタの横断面を示した模式図である。
【図２】本発明の第１実施形態の磁気フィルタによるろ過処理と、磁気フィルタから磁性物質を除去する処理とを説明するための模式図であり、（ａ）がろ過工程を行う磁気フィルタを示した模式図であり、（ｂ）がスクレープ工程を行う磁気フィルタを示した模式図であり、（ｃ）が逆洗工程を行う磁気フィルタを示した模式図であり、（ｄ）がろ過工程開始前のろ過スタンバイ状態の磁気フィルタを示した模式図である。
【図３】本発明の第２実施形態の磁気フィルタの構成を示した模式図であり、（ａ）が磁気フィルタの縦断面を示した模式図であり、（ｂ）が磁気フィルタの横断面を示した模式図である。
【図４】本発明の第２実施形態の磁気フィルタによるろ過処理と、磁気フィルタから磁性物質を除去する処理とを説明するための模式図であり、（ａ）がろ過工程を行う磁気フィルタを示した模式図であり、（ｂ）がスクレープ工程を行う磁気フィルタを示した模式図であり、（ｃ）が排出工程を行う磁気フィルタを示した模式図であり、（ｄ）がろ過工程開始前のろ過スタンバイ状態の磁気フィルタを示した模式図である。
【図５】従来技術の磁気フィルタの構成を示した模式図であり、（ａ）が磁気フィルタの縦断面を示した模式図であり、（ｂ）が磁気フィルタの横断面を示した模式図である。
【図６】従来技術の磁気フィルタによるろ過処理と、磁気フィルタから磁性物質を除去する処理とを説明するための模式図であり、（ａ）がろ過工程を行う磁気フィルタを示した模式図であり、（ｂ）が逆洗工程を行う磁気フィルタを示した模式図であり、（ｃ）がろ過工程開始前のろ過スタンバイ状態の磁気フィルタを示した模式図である。
【図７】本発明の第３実施形態の磁気フィルタの構成を示した模式図であり、（ａ）が磁気フィルタの縦断面を示した模式図であり、（ｂ）が磁気フィルタの横断面を示した模式図である。
【図８】本発明の第４実施形態の磁気フィルタの構成を示した模式図であり、（ａ）が磁気フィルタの縦断面を示した模式図であり、（ｂ）が磁気フィルタの横断面を示した模式図である。
【発明を実施するための最良の形態】
【００２９】
以下、本発明の実施形態（第１、第２、第３、第４実施形態）の磁気フィルタを図面に基づいて説明する。
尚、本実施形態（第１、第２、第３、第４実施形態）の説明において、上述した従来技術の磁気フィルタ１００（図５、図６）と同じ構成（或いは相当する構成）には、同じ符号を付して説明を簡略化する。【００３０】
先ず、本発明の第１実施形態の磁気フィルタの構成を図１に基づいて説明する。
図１は、本発明の第１実施形態の磁気フィルタの構成を示した模式図であり、（ａ）が磁気フィルタの縦断面を示した模式図であり、（ｂ）が磁気フィルタの横断面を示した模式図である。【００３１】
図示するように、第１実施形態の磁気フィルタＷ１は、同心状に配置された外筒１及び内筒２と、内筒２の筒内に出し入れ自在に収納された磁石ユニット棒３とを有している。また、外筒１の内周面と、内筒２の外周面との間に形成される間隙部が「ろ過室１２」になっている。
また、ろ過室１２には、内筒２（及び外筒１）の中心軸方向（中心軸と平行な向き）に動作（移動）可能であり且つ内筒２の外周側面に摺動自在に当接する掻取部９ａを有するスクレーパ９が設置されている。このスクレーパ９を中心軸方向に動作させると、掻取部９ａが内筒２の外周側面に沿って摺動して内筒２の外周側面に吸着した磁性物質を掻き取るようになっている。
なお、磁石ユニット棒３を、内筒２から出し入れする手段については特に限定しない。例えば、モータ等の動力源を備える駆動機構（図示せず）により、磁石ユニット棒３が内筒２から出し入れされるようになっていてもよいし、作業者自身が手動により磁石ユニット棒３を出し入れできるように構成されていてもよい。【００３２】
また、外筒１は、中空円筒状に形成され、その側面部に、「ろ過液入口管５」、「ろ過液出口管６」、「逆洗液入口管７」及び「逆洗液出口管８」が接続されている。
また、内筒２は、外筒１よりも小径の中空円筒状に形成され、その一端（図中における下端）が、外筒１の筒内・底面部１ａに設置されており、当該一端が止水可能な状態で閉塞されている。また、内筒２の他端は、外筒１の上面部１ｂを貫通して上面部１ｂから突出している（内筒２の他端は開口している）。
また、磁石ユニット棒３は、内筒２よりも小径の略円柱状に形成され、その内部には略円柱状の磁石４が多段に積み重ねるように組み込まれている。【００３３】
また、スクレーパ９は、中心に貫通穴が設けられたリング状の掻取部９ａ（図示する例では１０個の掻取部９ａ）と、掻取部９ａを支持・固定する支持柱９ｂ（図示する例では４本の支持柱９ｂ）とを有しており、各支持柱９ｂの上端には、磁気吸引ブロック（磁気吸引部）１１が設けられ、スクレーパ９と磁気吸引ブロック１１とが一体になっている。
なお、支持柱９ｂの下端から磁気吸引ブロック１１の上端までの長さ寸法ｈ１が、外筒１の「中心軸方向」の長さ寸法ｈ２より小さくなっている（ｈ１＜ｈ２）。【００３４】
また、上記の掻取部９ａは、金属や合成樹脂等により形成されている。なお、掻取部９ａは、所定厚さ寸法を有する帯状リング形状であってもよいし、所謂ドーナツ状リング形状であってもよい。
また、掻取部９ａは、貫通穴の内周部が、内筒２の外周側面に摺動自在に当接し、且つ外筒１の底面部１ａに対して平行になるように配置され、その外周縁部が、支持柱９ｂの側面部に支持・固定されている。なお、図示する例では、掻取部９ａは、支持柱９ｂの側面部に設けた「切欠き（溝）」に、その外周縁部を挿嵌させることにより、支持柱９ｂに支持・固定されているが、特にこれに限定されるものではない。掻取部９ａを支持柱９ｂに固定する方法は、溶接、溶着、接着等適宜である。
また、第１実施形態では、掻取部９ａを複数設けた例を示しているが、掻取部９ａの数は適宜設定されるものである。例えば、掻取部９ａが１個だけであってもよい。【００３５】
上記の支持柱９ｂは、金属や合成樹脂等により形成されている。また、図示する例では、支持柱９ｂは、角柱状に形成されているが、角柱状以外の形状であってもよい（例えば、円柱状であってもよい）。また、図示する例では、４本の支持柱９ｂが、等間隔を開けて環状に配置されているが、支持柱９ｂの数は、あくまでも一例に過ぎない。【００３６】
また、磁気吸引ブロック１１は、磁性体（例えば、フェライト系ステンレス鋼材、一般構造用圧延鋼材等）により形成されており、支持柱９ｂの上端に、嵌め込み、溶接、溶着、接着等の方法により取り付けられている。
また、第１実施形態では、磁気吸引ブロック１１が、支持柱９ｂの上端に取り付けられているが、特にこれに限定されるものではない。磁気吸引ブロック１１が、支持柱９ｂの上端以外の位置に設置されていてもよい。なお、磁気吸引ブロック１１の設置位置は、ろ過室１２の内部を流れる「ろ過液」或いは「逆洗液」の流れを阻害しない位置が望ましい。尚、磁気吸引ブロック１１は、例えば、所謂ドーナツ状リング形状や帯状リング形状に形成されている。【００３７】
上記の構成によれば、スクレーパ９及び磁気吸引ブロック１１は、外筒１の「中心軸方向の長さ」の範囲で、中心軸方向に往復移動が可能になる。
また、磁気吸引ブロック１１は、磁石ユニット棒３と磁気吸引ブロック１１との間の磁力による吸引力により、磁石ユニット棒３の移動とともに、磁石ユニット棒３と同一方向に移動するようになっている。
すなわち、磁石ユニット棒３を中心軸方向に移動させると、磁石ユニット棒３に吸引される磁気吸引ブロック１１が取り付けられたスクレーパ９が、磁石ユニット棒３と同一方向に動作する。このときに、スクレーパ９の掻取部９ａが内筒２の外周側面に沿って摺動するため、内筒２に吸着した磁性物質が掻き取られる。【００３８】
次に、第１実施形態の磁気フィルタＷ１の「ろ過処理及」び「磁性物質除去処理」について図２を用いて説明する。
なお、図２は、本発明の第１実施形態の磁気フィルタによるろ過処理と、磁気フィルタから磁性物質を除去する処理とを説明するための模式図であり、（ａ）がろ過工程を行う磁気フィルタを示した模式図であり、（ｂ）がスクレープ工程を行う磁気フィルタを示した模式図であり、（ｃ）が逆洗工程を行う磁気フィルタを示した模式図であり、（ｄ）がろ過工程開始前のろ過スタンバイ状態の磁気フィルタを示した模式図である。【００３９】
先ず、磁気フィルタＷ１により行われる「ろ過処理」の工程（ろ過工程）を説明する。
磁気フィルタＷ１を、ろ過工程に用いるときには、図２（ａ）に示す状態にろ過フィルタＷ１を設定する。具体的には、磁石ユニット棒３を内筒２の筒内に収納した状態にする。また、外筒１に接続されている「ろ過液入口管５」及び「ろ過液出口管６」を開状態にし、且つ「逆洗液入口管７」及び「逆洗液出口管８」を閉状態にする。
この状態にして、「ろ過液入口管５」から「ろ過液」を流入させると、流入させた「ろ過液」は「ろ過室１２」を通って、「ろ過液出口管６」から流出していく。このときに、ろ過液中に存在する磁性粒子が、磁石ユニット棒３の磁石４の磁力により、内筒２の外周側面（外壁面）に吸着していき、磁性粒子が除去された「ろ過液」が、「ろ過液出口管６」から流出していく。【００４０】
次に、磁気フィルタＷ１の「磁性物質除去処理」の工程を説明する。
この「磁性物質除去処理」では、ろ過処理を停止した上で、内筒２に吸着した磁性物質を直接掻き取るスクレープ工程と、スクレープ工程で掻き取られた磁性物質を「ろ過室１２」から排出させる逆洗工程とを行う。【００４１】
スクレープ工程では、図２（ｂ）に示すように、外筒１に接続されている「ろ過液入口管５」、「ろ過液出口管６」、「逆洗液入口管７」及び「逆洗液出口管８」を全て閉状態にする。
上記の状態にして、内筒２に収納された磁石ユニット棒３を、内筒２の中心軸方向に移動させ（磁石ユニット棒３を上方に引き上げて）、内筒２から取り出す。このとき、磁石ユニット棒３の磁力に吸引された「磁気吸引ブロック１１が取り付けられたスクレーパ９」が磁石ユニット棒３と同一方向に動作（移動）する。すなわち、磁石ユニット棒３を引き上げることにより、「スクレーパ９」を上方に移動させることができる。そして、スクレーパ９が磁石ユニット棒３と共に上方に動作（移動）すると、スクレーパ９の掻取部９ａが内筒２の外周側面に沿って摺動し、内筒２の外周側面に吸着した磁性物質を掻き取り、外周側面に吸着した磁性物質が、外周側面から剥離される。【００４２】
上記のスクレープ工程を終えると、逆洗工程を行い、内筒２から剥離させた磁性物質を「ろ過室１２」から排出させる。
具体的には、図２（ｃ）に示すように、外筒１に接続されている「ろ過液入口管５」及び「ろ過液出口管６」を閉状態にし、且つ「逆洗液入口管７」及び「逆洗液出口管８」を開状態にする。なお、逆洗工程のときには、磁石ユニット棒３は内筒２から取り出された状態（図２（ｃ）に示す状態）にしておく。
上記の状態にして、逆洗液入口管７から逆洗液を流入させると、流入させた「逆洗液」は「ろ過室１２」を通って、逆洗液出口８から流出していく。このとき、スクレープ工程で掻き取られた磁性物質が、逆洗液と共に「ろ過室１２」から排出される。【００４３】
なお、磁性物質除去処理（スクレープ工程及び逆洗工程）を終えると内筒２から取り出した磁石ユニット棒３を内筒２の筒内に戻して収納状態にする。なお、磁石ユニット棒３を、内筒２の中心軸方向に移動させて（下方に移動させて）、内筒２の筒内に戻すとスクレーパ９も磁石ユニット棒３と共に下方に移動して、支柱９ｂが、外筒１の底面部１ａに載置された状態になる。そして、ろ過液入口管５及びろ過液出口管６を開状態にし、且つ逆洗液入口管７及び逆洗液出口管８を閉状態にすると、図２（ｄ）に示すように、ろ過工程を開始できる「ろ過スタンバイ状態」に設定される。【００４４】
このように、第１実施形態の磁性物質除去処理方法によれば、磁石ユニット棒３を、内筒２中心軸方向に移動させて、内筒２から磁石ユニット棒３を取り出すと、自動的に、スクレーパ９も磁石ユニット棒３と同一方向に移動し、掻取部９ａが内筒２に吸着した磁性物質を掻き取るため、磁性物質を掻き取るための特別な作業をすることなく、内筒に吸着した磁性物質を効果的に除去することができる。すなわち、第１実施形態によれば、従来技術の磁気フィルタ（図５、図６参照）でも行っていた「内筒から磁石ユニット棒３を取り出す工程」を行えば、自動的に、掻取部９ａが内筒２に吸着した磁性物質を掻き取るようになっている。【００４５】
また、第１実施形態では、スクレーパ９により、内筒２に吸着した磁性物質を直接掻き取り、内筒２から磁性物質を剥離させているため、従来技術の逆洗により磁性物質を剥離させる方法と比べて（図６参照）、効果的に磁性物質を除去することができる。その結果、第１実施形態によれば、磁気フィルタの「ろ過性能（磁性物質の除去性能）」の低下が防止される。【００４６】
また、第１実施形態によれば、磁気フィルタＷ１を分解することなく、スクレーパ９により磁性物質を直接掻き取ることができるため、磁気フィルタＷ１を分解して行う保守メンテナンス作業の回数を減らすことができ（或いは、保守メンテナンス作業が不要になり）、保守メンテナンス作業の手間が軽減される。【００４７】
また、スクレーパ９により、内筒２に吸着した磁性物質を直接掻き取る方法を採用しているため、従来技術のように、逆洗工程において、高流速の逆洗液を流入させる必要がなくなる。その結果、第１実施形態によれば、従来技術と比べて、ろ過処理のための設備コストが軽減される。
また、スクレープ工程で内筒２から磁性物質を剥離させた上で、逆洗工程を行うことにより、容易にしかも略完全に、ろ過室１２から磁性物質を排出させることができる。【００４８】
以上、説明したように第１実施形態によれば、ろ過処理設備のコスト及び保守メンテナンス作業の手間を軽減できると共に、ろ過能力の低下を防止できる磁気フィルタＷ１を提供することができる。【００４９】
次に、本発明の第２実施形態の磁気フィルタについて説明する。
尚、第２実施形態は、第１実施形態を一部変形したものである。そのため、以下では、１実施形態と異なる部分を説明し、第１実施形態と同じ構成の説明を省略する。また、第２実施形態では、第１実施形態の磁気フィルタＷ１（図１、図２）と同じ構成（或いは相当する構成）については、同じ符号を付している。【００５０】
先ず、第２実施形態の磁気フィルタＷ２の構成を図３に基づいて説明する。
なお、図３は、本発明の第２実施形態の磁気フィルタの構成を示した模式図であり、（ａ）が磁気フィルタの縦断面を示した模式図であり、（ｂ）が磁気フィルタの横断面を示した模式図である。【００５１】
図示するように、第２実施形態の磁気フィルタＷ２は、外筒１の下端部に鉄粉排出部１３が設けられている点と、外筒１に「逆洗液入口管７」及び「逆洗液出口管８」が接続されていない点と、スクレーパ９の支持柱９ｂの下端部が断面視で略L字状になっている点とが、第１実施形態と異なっているが、それ以外の構成は同じである。【００５２】
具体的には、外筒１の下端には、ろ過室１２に連通する中空円筒状の鉄粉排出部１３が設けられている。鉄粉排出部１３は、外筒１よりも小径で且つ内筒２よりも大径に形成されており、その下端部に、開閉弁等の開閉手段を備えた鉄粉排出口１３ａが設けられている。
なお、図示する例では、内筒２が、外筒１の底面部１ａを貫通して、鉄粉排出口１３ａの位置まで延設されているが、特にこれに限定されるものではない。内筒２の下端部が、第１実施形態と同様、外筒１の筒内・底面部１ａに設置されていてもよい。【００５３】
そして、第２実施形態では、ろ過工程及びスクレープ工程を行う場合、鉄粉排出口１３ａを閉状態にし、後述する「排出工程」を行う場合、鉄粉排出口１３ａを開状態にするようになっている。【００５４】
また、第２実施形態では、一例として角柱状の支持柱９ｂの下端部を、断面視で略L字状としている。このように、支持柱９ｂの下端部を略L字状としたのは、後述する排出工程において、鉄粉排出口１３ａの開口を大きくして、磁性物質の排出を容易にするためである。【００５５】
次に、第２実施形態の磁気フィルタＷ２を用いた「ろ過処理」及び「磁性物質除去処理」について図４を用いて説明する。
なお、図４は、本発明の第２実施形態の磁気フィルタによるろ過処理と、磁気フィルタから磁性物質を除去する処理とを説明するための模式図であり、（ａ）がろ過工程を行う磁気フィルタを示した模式図であり、（ｂ）がスクレープ工程を行う磁気フィルタを示した模式図であり、（ｃ）が排出工程を行う磁気フィルタを示した模式図であり、（ｄ）がろ過工程開始前のろ過スタンバイ状態の磁気フィルタを示した模式図である。【００５６】
先ず、磁気フィルタＷ２を用いた「ろ過処理」の工程（ろ過工程）を説明する。
磁気フィルタＷ２を、ろ過工程に用いるときには、図４（ａ）に示す状態に磁気フィルタＷ２を設定する。具体的には、磁石ユニット棒３を内筒２の筒内に収納した状態にする。また、外筒１に接続されている「ろ過液入口管５」及び「ろ過液出口管６」を開状態にし、外筒１の下端に設けられた鉄粉排出口１３ａを閉状態にする。
この状態にして、ろ過液入口管５から「ろ過液」を流入させると、第１実施形態と同様、ろ過液中に存在する磁性粒子が、磁石ユニット棒３の磁石４の磁力により、内筒２の外周側面（外壁面）に吸着していき、磁性粒子が除去された「ろ過液」が、ろ過液出口管６から流出していく。【００５７】
次に、磁気フィルタＷ２の「磁性物質除去処理」の工程を説明する。
この「磁性物質除去処理」では、ろ過処理を停止した上で、内筒２に吸着した磁性物質を直接掻き取るスクレープ工程と、スクレープ工程で掻き取られた磁性物質を「ろ過室１２」から排出させる排出工程とを行う。【００５８】
スクレープ工程では、図４（ｂ）に示すように、外筒１に接続されている「ろ過液入口管５」、「ろ過液出口管６」を閉状態にする。また、外筒１の下端に設けられた鉄粉排出口１３ａを閉状態にする。そして、第１実施形態と同様の工程を行い、内筒２の外周側面に吸着した磁性物質を除去する。
具体的には、第１実施形態と同様、内筒２に収納された磁石ユニット棒３を引き上げて内筒２から取り出すことにより、スクレーパ９が磁石ユニット棒３の磁力により、磁石ユニット棒３と共に上方に動作（移動）する。また、スクレーパ９が磁石ユニット棒３と共に上方に動作すると、スクレーパ９の掻取部９ａが内筒２の外周側面に沿って摺動し、内筒２の外周側面に吸着した磁性物質を掻き取り、内筒２の外周側面に吸着した磁性物質が、外周側面から剥離される。【００５９】
次に、上記のスクレープ工程の後に行う排出工程を説明する。
具体的には、図４（ｃ）に示すように、外筒１に接続されている「ろ過液入口管５」及び「ろ過液出口管６」を閉状態にする（スクレープ工程と同じ状態にしておく）。
そして、外筒１の下端に設けられた鉄粉排出口１３ａを開状態にして、内筒２から引き上げて取り出していた磁石ユニット棒３を引き下げて内筒２の筒内に戻す。なお、磁石ユニット棒３を引き下げて内筒２の筒内に戻すと、スクレーパ９も磁石ユニット棒３と共に下方に移動して、支柱９ｂが、外筒１の底面部１ａに載置された状態になる。
この排出工程では、スクレープ工程で掻き取られた磁性物質が、下方に動作（移動）するスクレーパ９の押し出しと、重力とにより、ろ過室１２に残っている「ろ過液」と共に鉄粉排出口１３ａ側に向けて押し出され、鉄粉排出口１３ａから排出されていく。【００６０】
なお、磁性物質除去処理（スクレープ工程及び排出工程）を終えた後、図４（ｄ）に示すように、外筒１に接続されている「ろ過液入口管５」及び「ろ過液出口管６」を開状態にして、外筒１の下端に設けられた鉄粉排出口１３ａを閉状態にすると、ろ過工程を開始できる「ろ過スタンバイ状態」に設定される。【００６１】
このように、第２実施形態においても、第１実施形態と同様のスクレープ工程により、内筒２に吸着した磁性物質を直接掻き取る方法を採用しているため、第１実施形態と同様の作用効果が得られる。また、第２実施形態は、「逆洗工程」を行わないため、逆洗用の設備（逆洗水を供給するポンプ等）が不要になり、第１実施形態の磁気フィルタＷ１よりも設備コストを軽減することができる。【００６２】
次に、本発明の第３実施形態の磁気フィルタについて、図７を参照しながら説明する。
なお、図７は、本発明の第３実施形態の磁気フィルタの構成を示した模式図であり、（ａ）が磁気フィルタの縦断面を示した模式図であり、（ｂ）が磁気フィルタの横断面を示した模式図である。
また、第３実施形態は、上述した第１実施形態で用いたスクレーパ９（図１参照）を、螺旋状に形成されたスクレーパ１９に変更したものであり、スクレーパ１９以外の構成は、第１実施形態と同じである。そのため、以下では、１実施形態と異なる部分を説明し、第１実施形態と同じ構成の説明を省略或いは簡略化する。また、第３実施形態では、第１実施形態の磁気フィルタＷ１と同じ構成（或いは相当する構成）については、同じ符号を付している。【００６３】
図示するように、第３実施形態の磁気フィルタＷ３は、第１実施形態と同様、外筒１及び内筒２と、内筒２の筒内に出し入れ自在に収納された磁石ユニット棒３とを有している。また、外筒１の内周面と、内筒２の外周面との間に形成されたろ過室１２には、内筒２（及び外筒１）の中心軸方向（中心軸と平行な向き）に動作（移動）可能であり且つ内筒２の外周側面に摺動自在に当接するスクレーパ１９が設置されている。【００６４】
スクレーパ１９は、内筒２の直径と同じか若しくは僅かに大きい内径を有する螺旋状に形成されており、内筒２の一端側から他端側にかけて、内筒２の外周面に巻きつくように配置されている。また、スクレーパ１９は、螺旋状の内周縁部が掻取部１９ａになっており、掻取部１９ａが内筒２の外周面に摺動自在に当接した状態で、内筒２の外周面に嵌合している。なお、スクレーパ１９は金属や合成樹脂等により形成されている。
また、スクレーパ１９の一端部（図中の上端部）には、磁気吸引ブロック（磁気吸引部）１１が設けられている（スクレーパ１９の一端部に磁気吸引ブロック１１が取り付けられている）。また、スクレーパ１９の他端部（図中の下端部）から磁気吸引ブロック１１の上端までの長さ寸法ｈ１０は外筒１の「中心軸方向」の長さ寸法ｈ２より小さくなっている（ｈ１０＜ｈ２）。【００６５】
なお、図示する例では、スクレーパ１９の他端部（図中の下端部）が、外筒１の筒内・底面部１ａと離間した位置に配置されているが（他端部が底面１ａよりも高い位置に配置されているが）、特にこれに限定されるものではない。スクレーパ１９の他端部（図中の下端部）が、外筒１の筒内・底面部１ａまで延設され、当該他端部が外筒１の筒内・底面部１ａに当接するように配置されていても良い。【００６６】
そして、第３実施形態によれば、第１実施形態と同様、磁石ユニット棒３を中心軸方向に移動させると、磁石ユニット棒３に吸引される磁気吸引ブロック１１が取り付けられたスクレーパ１９が、磁石ユニット棒３と同一方向に動作する。このときに、スクレーパ１９の掻取部１９ａが内筒２の外周側面に沿って摺動するため、内筒２に吸着した磁性物質が掻き取られる。【００６７】
このように、第３実施形態によれば、磁石ユニット棒３を、内筒２中心軸方向に移動させて、内筒２から磁石ユニット棒３を取り出すと、自動的に、スクレーパ１９も磁石ユニット棒３と同一方向に移動し、掻取部１９ａが内筒２に吸着した磁性物質を掻き取るため、上述した第１実施形態と同様の作用効果が得られる。【００６８】
また、第３実施形態のスクレーパ１９は、螺旋状をなす一部品で形成されており、第１実施形態のスクレーパ９のように、複数の部品を組み立てた（掻取部９ａを、掻取支持柱９ｂに嵌合して取り付けた）構成では無いため、第１実施形態のスクレーパ９と比べて、耐久性が高い構成になっている。
さらに、第３実施形態のスクレーパ１９は、第１実施形態のスクレーパ９と比べて、部品点数が少なく、且つ「掻取部９ａを、掻取支持柱９ｂに嵌合して取り付ける作業」が不要であるため、コストが低減されるという作用効果が得られる。【００６９】
次に、本発明の第４実施形態の磁気フィルタについて、図８を参照しながら説明する。
なお、図８は、本発明の第４実施形態の磁気フィルタの構成を示した模式図であり、（ａ）が磁気フィルタの縦断面を示した模式図であり、（ｂ）が磁気フィルタの横断面を示した模式図である。
第４実施形態は、上述した第１実施形態で用いたスクレーパ９（図１参照）を、窓付円筒状に形成されたスクレーパ２９に変更したものであり、スクレーパ２９以外の構成は、第１実施形態と同じである。そのため、以下では、第１実施形態と異なる部分を説明し、第１実施形態と同じ構成の説明を省略或いは簡略化する。また、第４実施形態では、第１実施形態の磁気フィルタＷ１と同じ構成（或いは相当する構成）については、同じ符号を付している。【００７０】
図示するように、第４実施形態の磁気フィルタＷ４は、第１実施形態と同様、外筒１及び内筒２と、内筒２の筒内に出し入れ自在に収納された磁石ユニット棒３とを有している。また、外筒１の内周面と、内筒２の外周面との間に形成されたろ過室１２には、内筒２（及び外筒１）の中心軸方向（中心軸と平行な向き）に動作（移動）可能であり且つ内筒２の外周側面に摺動自在に当接するスクレーパ２９が設置されている。【００７１】
スクレーパ２９は、内筒２の直径と同じか若しくは僅かに大きい内径を有する中空円筒状（両端が貫通した中空円筒状）に形成され、その側面部に、「周方向及び中心軸方向（図中における縦方向）」の両方向に沿って所定間隔で複数の窓孔２９aが形成され、この窓孔２９aにより側面部が格子状になっている。
また、スクレーパ２９は、格子状に形成された側面の内側部が掻取部２９ａ１になっており、掻取部２９ａ１が内筒２の外周面に摺動自在に当接した状態で、内筒２の外周面に嵌合している。なお、スクレーパ２９は金属や合成樹脂等により形成されている。
また、スクレーパ２９の一端部（図中の上端部）には、磁気吸引ブロック（磁気吸引部）１１が設けられている（スクレーパ２９の一端部に磁気吸引ブロック１１が取り付けられている）。また、スクレーパ２９の他端部（図中の下端部）から磁気吸引ブロック１１の上端までの長さ寸法ｈ１０は、外筒１の「中心軸方向」の長さ寸法ｈ２より小さくなっている（ｈ１０＜ｈ２）。【００７２】
なお、図示する例では、スクレーパ２９の他端部（図中の下端部）が、外筒１の筒内・底面部１ａと離間した位置に配置されているが（他端部が底面１ａよりも高い位置に配置されているが）、特にこれに限定されるものではない。スクレーパ２９の他端部（図中の下端部）が、外筒１の筒内・底面部１ａまで延設され、当該他端部が外筒１の筒内・底面部１ａに当接するように配置されていても良い。【００７３】
そして、第４実施形態によれば、第１実施形態と同様、磁石ユニット棒３を中心軸方向に移動させると、磁石ユニット棒３に吸引される磁気吸引ブロック１１が取り付けられたスクレーパ２９が、磁石ユニット棒３と同一方向に動作する。このときに、スクレーパ１９の掻取部２９ａ１が内筒２の外周側面に沿って摺動するため、内筒２に吸着した磁性物質が掻き取られる。【００７４】
このように、第４実施形態によれば、磁石ユニット棒３を、内筒２中心軸方向に移動させて、内筒２から磁石ユニット棒３を取り出すと、自動的に、スクレーパ２９も磁石ユニット棒３と同一方向に移動し、掻取部２９ａ１が内筒２に吸着した磁性物質を掻き取るため、上述した第１実施形態と同様の作用効果が得られる。【００７５】
また、第４実施形態のスクレーパ２９は、円筒状の一部品で形成されており、第１実施形態のスクレーパ９のように、複数の部品を組み立てた（掻取部９ａを、掻取支持柱９ｂに嵌合して取り付けた）構成では無いため、第１実施形態のスクレーパ９と比べて、耐久性が高い構成になっている。
さらに、第４実施形態のスクレーパ１９は、第１実施形態のスクレーパ９と比べて、部品点数を削減されている共に、「掻取部９ａを、掻取支持柱９ｂに嵌合して取り付ける作業」が不要になるため、コストが低減されるという作用効果が得られる。【００７６】
なお、本発明は、上述した実施形態（第１、第２、第３、第４実施形態）に限定されるものではなく、その要旨の範囲内において種々の変更が可能である。【００７７】
例えば、上述した第１実施形態では、「ろ過液入口管５」及び「ろ過液出口管６」と、「逆洗液入口管７」及び「逆洗液出口管８」とが接続されているが、特にこれに限定されるものではない。外筒１の外側に、切り替え弁などで配管を分岐させる構造を設けることにより、外筒１に、入り口管及び出口管とだけを接続する構造を採用してもよい。【００７８】
また、上述した実施形態（第１、第２、第３、第４実施形態）で示した磁気吸引ブロック１１は一例に過ぎない。スクレーパ９を磁石ユニット棒３と同一方向に動作させることができるものであればよく、ブロック状である必要はない。【００７９】
また、上述した第１、第２実施形態では、掻取部９ａがリング形状に形成されているが、特にこれに限定されるものではない。掻取部９ａがリング形状ではなく、「半円状」や「１／３円状」のものを複数設ける構成であってもよい。【００８０】
また、上述した第１、第２実施形態のスクレープ工程では、スクレーパ９の動作方向が磁石ユニット棒３と同一方向になっているが、磁石ユニット棒３の動作方向は一例に過ぎない。磁石ユニット棒３を内筒２から取り出す際、磁石ユニット棒３の磁力の作用によりスクレーパ９が動作し、掻取部９aが内筒２の外周側面に沿って摺動するようになっていればよい。
例えば、スクレーパ９の直進運動を回転運動に変換する機構を設け、磁石ユニット棒３を内筒２から取り出す際に、磁力の作用によりスクレーパ９が回転動作をするようになっていてもよい。また、磁石ユニット棒３の動作方向と反対方向に、スクレーパ９を動作させる反転機構を設け、スクレーパ９が磁石ユニット棒３と反対方向に動作するようになっていてもよい。【００８１】
また第２実施形態の磁気フィルタＷ２において、スクレーパ９の代わりに第３実施形態のスクレーパ１９（或いは第４実施形態のスクレーパ２９）を搭載するようにしても良い。
【符号の説明】
【００８２】
Ｗ１、Ｗ２、W３、W４…磁気フィルタ
１…外筒
１ａ…底面部（外筒）
１ｂ…上面部（外筒）
２…内筒
３…磁石ユニット棒
４…磁石
５…ろ過液入口管
６…ろ過液出口管
７…逆洗液入口管
８…逆洗液出口管
９…スクレーパ
９ａ…掻取部（スクレーパ）
９ｂ…支持柱（スクレーパ）
９ｂ１…脚部（支持柱）
１１…磁気吸引ブロック
１２…ろ過室
１３…鉄粉排出部
１３ａ…鉄粉排出口（鉄粉排出部）
１９…スクレーパ
１９ａ…掻取部（スクレーパ）
２９…スクレーパ
２９ａ…窓孔（スクレーパ）
２９ａ１…掻取部（スクレーパ）
【図１】
2015190179.tif 000003
【図２】
2015190179.tif 000004
【図３】
2015190179.tif 000005
【図４】
2015190179.tif 000006
【図５】
2015190179.tif 000007
【図６】
2015190179.tif 000008
【図７】
2015190179.tif 000009
【図８】
2015190179.tif 000010
【国際調査報告】
2015190179.tif 000011
2015190179.tif 000012
2015190179.tif 000013
2015190179.tif 000014